(57)【要約】【課題】視覚によって安全確認し行動している動物に、警戒心を抱かせない捕獲効率の高い構造を提供する。【解決手段】金網で形成された柵体辺にて所定の範囲を多角形状に囲むように地上に設置される動物捕獲檻であって、任意の複数の柵体辺にそれぞれ少なくとも一つ扉を形成し、柵体辺に形成された各扉のすべてが同時に閉塞可能とする手段を有する構造とする。  また、柵体辺に形成された各扉は、対向する柵体辺に形成された扉の少なくとも一つに対して、扉の外部から対向する扉の外部を見通しできるように配置して囲い式動物捕獲檻を構成する。【選択図】  図１
2014000035.tif 000002
【特許請求の範囲】
【請求項１】
金網で形成された柵体辺にて所定の範囲を多角形状に囲むように地上に設置される動物捕獲檻であって、任意の複数の柵体辺にそれぞれ少なくとも一つ扉を形成し、柵体辺に形成された各扉のすべてが同時に閉塞可能とする手段を有することを特徴とする囲い式動物捕獲檻。
【請求項２】
多角形状を形成する各柵体辺のすべてに少なくとも一つ扉を形成してなることを特徴とする請求項１に記載の囲い式動物捕獲檻。
【請求項３】
柵体辺に形成された各扉は、対向する柵体辺に形成された扉の少なくとも一つに対して、扉の外部から対向する扉の外部を見通しできるように配置されてなることを特徴とする請求項１及び２に記載の囲い式動物捕獲檻。
【請求項４】
金網で形成された柵体辺にて所定の範囲を多角形状に囲むように地上に設置される動物捕獲檻であって、多角形状を形成する柵体辺の一辺に複数の扉を形成し、柵体辺に形成された各扉のすべてが同時に閉塞可能とする手段を有することを特徴とする囲い式動物捕獲檻。
【請求項５】
金網で形成された柵体は、標準パネルと、この標準パネルに扉を組み込み一体化した扉組み込みパネルと、柵体辺上部付近に配されるステーワイヤーにより構成され、このステーワイヤーは多角形の各柵体辺両端上部とこれに対向する柵体辺中間上部とに張設することを特徴とする請求項１乃至４に記載の囲い式動物捕獲檻。
【発明の詳細な説明】
【技術分野】
【０００１】
本発明は、農林業に被害を与える鹿や猪等の動物（害獣）を捕獲する装置に関する。
【背景技術】
【０００２】
近年、害獣による農林業被害は全国的に見られるようになってきており、その被害は拡大の一途をたどり、社会問題化している。このため獣害防止柵の設置が官民を問わず積極的に進められ、被害防止に努めている。
また、乱開発、異常気象に伴う自然環境の変化、耕作放棄地の増加等による害獣の生息環境の変化に伴い、予想外の固体数異常増加が見られるようになり、捕獲駆除も積極的に進めなければならない状況となっている。
【０００３】
従来、捕獲駆除については猟銃による方法や囲いわなや箱わなによる方法等が一般的に用いられてきたが、猟銃による方法は所持規制の強化により、その免許を有する者が著しく減少している。また、囲いわなや箱わなによる方法によっても、その形態や害獣の警戒心から一度に複数匹を捕獲することは稀であり、あまり効率的とは言えない。
このため、害獣の視覚を遮断することなく警戒心を与えない方法、また、一度に複数匹を捕獲する方法としてネット落下式の捕獲方法や大型囲い式のわなが考えられている。
【先行技術文献】
【特許文献】
【０００４】
囲いわなや箱わなに関してはラッチ機構（ドアや扉の掛け金の施錠および解除）やサーボ機構（物体の位置、方向、姿勢等の変化に追従する機能を持つ制御機構や制御システム）についての先行技術文献は多数見られが本発明のような全体形状に関するものは見当たらない。
【発明の概要】
【発明が解決しようとする課題】
【０００５】
動物は視覚や臭覚によって安全確認し行動している。このため囲いわなや箱わなには警戒してなかなか近寄らない。これはその空間が小さいことを視覚によって確認しているためであり、動物も圧迫感、閉塞感を抱いているからに他ならない。
また、異常時における逃避行動の可否、すなわち逃げ道の有無も確認して行動しているとも言われている。
本発明は以上のような点に鑑み、警戒心を抱かず、複数捕獲が可能な構造を提供することを目的としている。
【課題を解決するための手段】
【０００６】
動物の視覚によって安全確認し行動する習性に鑑み、捕獲すべき動物の体形を踏まえ圧迫感、閉塞感を与えない大きさの空間を有する多角形の囲い式動物捕獲檻を構築する。
この囲い式動物捕獲檻は金網で形成された柵体辺にて所定の範囲を多角形状に囲むように地上に設置されるものであり、任意の複数の柵体辺にそれぞれ少なくとも一つ扉を形成し、柵体辺に形成された各扉のすべてが同時に閉塞可能とする手段を有する構造とする。また、柵体辺に形成された各扉は、対向する柵体辺に形成された扉の少なくとも一つに対して、扉の外部から対向する扉の外部を見通しできるように配置されてなることを特徴として囲い式動物捕獲檻を構成している。
【０００７】
平面形状は原則として四角形とするが、設置場所に適した多角形とすることも考えられ、捕獲檻内部には捕獲に影響の無い限りにおいて樹木や雑草等を残し自然状態を保全するように努め、動物に違和感を抱かせないように努める。
なお、本発明は支柱を打ち替えることにより設置場所を容易に移動することができる可動式構造としての運用を原則とするものであり、施工性に主眼を置いた構造とした。
具体的には扉構造を金網パネルに組み込んだものを使用することであり、扉の開閉機構に関する機械的または電気的な補足作業をすることによって捕獲構造が容易に構築できる構造であることである。
【発明の効果】
【０００８】
捕獲空間を大きくすることや扉を複数配置、対向配置することにより外部から外部を見通しできるため、動物の警戒心は薄らぎ、餌を求めて侵入しやすくなる。
捕獲空間を大きくすること、すなわち多角形の一辺長を大きくすることは障害物に沿って移動する動物の習性から扉への誘導効果を高める。特に獣道付近に設置した場合には効果的である。
さらに、これらの複数の扉が同時に閉塞可能とする手段を有することにより捕獲効率は向上する。
なお、扉は柵体辺を形成する標準パネルに組み込まれ一体化された扉組み込みパネルを使用するので施工性、経済性に優れる。
【図面の簡単な説明】
【０００９】
【図１】本発明における一実施形態の概姿を示す斜視図である。
【図２】柵体辺を形成する金網の標準パネルを示すものであり（ａ）は正面図、（ｂ）は断面図であり、本図においては補剛部を有する金網を示している。
【図３】扉組み込みパネルを示すものであり（ａ）は開放時、（ｂ）は閉塞時の正面図である。
【図４】スプリングテンショナーの詳細図である。
【図５】既存の柵に捕獲檻を付加設置した場合の事例であり、（ａ）は一辺にのみ扉体を設置したものであり、（ｂ）は四辺に扉体を設置したものである。
【図６】扉体のラッチ機構の一例を示す参考図であり、（ａ）は機械式、（ｂ）は電磁式である。
【発明を実施するための形態】
【００１０】
以下、本発明の実施の形態を図に基づいて説明する。
【実施例】
【００１１】
図１に示す実施例は四角形であり、一辺の長さは１５〜２０ｍ程度、支柱間隔は２.０〜２.５ｍ程度、柵高は２.０ｍ程度である。
実施例においては四角形のそれぞれの一辺に３箇所の扉を設置するとともに、この扉は対辺に設置する扉と対向するように配置し、外部から外部が見通せるようにする。
動物は視覚によって安全確認し行動する習性があるため、開口部（扉）が複数あることや外部から外部が見通せることにより、動物に対し逃避行動が取れるとの認識を与えることができ、また、捕獲檻内の空間は天井が無く、箱わな等に比べ圧迫感、閉塞感が無いことから安心感が生じ、その警戒心が薄れ、捕獲檻内への侵入確率は単扉の場合に比べ高くなる。
【００１２】
捕獲檻の施工方法は一般的な柵の設置と同様であり、まず支柱１を立設する。
支柱１の立設方法としては、打設による方法や先行削孔し建て込む方法等があり、支柱１の長さや地盤の状況、施工環境等を踏まえて選択する必要がある。
また、固定点（地盤面）に変位が生じないように十分な根入れの確保、根固め等が必要な場合もある。
なお、工事に際しては周辺の土工事を必要最低限にし、自然状態を保全することが捕獲檻への誘導効果を高めることに繋がる。
【００１３】
次に支柱間隔より少し長めの金網パネルを支柱部において少し重複させ、支柱１に留め金や結束線等を用いて結合する。
本実施例に用いる金網パネルは、図２（Ｂ）に示す補剛部３（曲げ加工部）を有するものを標準パネル２とし、図３に示す標準パネルに扉構造を組み込んだものを扉組み込みパネル４として使用している。これらのパネルを自由自在に組み合わせることにより、容易に現場状況に適合した捕獲形態を現出できることに本発明の意義がある。
なお、補剛部３を有するパネルは、補剛部の無い平面パネルに比べ大きな剛性を有することは言うまでもないことである。
【００１４】
パネルの取り付けが完了した後に扉の開閉に関わる設備の取り付け等の補足作業をすることによって、扉の開閉機構を完成させる。ラッチ機構やサーボ機構については、従来技術の中から本発明に最も適合するものを選び採用する。
なお図６は扉体のラッチ機構の一例を示す参考図であり、（ａ）は機械式、（ｂ）は電磁マグネット１１を利用した電磁式である。
【００１５】
図１において捕獲檻の上部にステーワイヤー８を張設した状況を示しているが、これは柵体辺の倒壊防止のために配するものである。
すなわち、捕獲された動物は興奮状態にあるため、柵に衝突したり跳躍して脱柵を試みる。このとき支柱１には曲げモーメントが作用し、衝突力によっては柵体辺が倒壊する恐れがあり、これを予防するためステーワイヤー８を張設する。
【００１６】
本実施例における補剛部３を有する標準パネル２を使用した場合には、さらにその補強効果を現出する。すなわち、補剛部３を設けることはパネル内に梁機能を生じさせるものであり、パネル単体としての剛性が著しく向上するのみならず、これが連続する柵体辺上部に梁が挿入されたのと同じ状況となる。この仮想の梁に対し、軸力（圧縮）を与える方向にステーワイヤー８を張設すれば構造体としての一辺はその強度を増す。他の三辺についても同様にステーワイヤーを張設すれば構造全体としての剛性が増し、強固なものとなる。
補剛部３を有しない一般に用いられている平面パネルを使用する場合においては、支柱間にサポート柱を挿入することや控え柱を設置することによる補強が必要となる場合も生ずる。
【００１７】
また、このステーワイヤー８は捕獲檻の外周部付近に密に配されるため、跳躍して脱柵を試みる動物の障害となり、脱柵を困難なものとする効果も生む。
【００１８】
図４に示すスプリングテンショナー９はバネ構造であり、ステーワイヤー８に適度な張力を与えるとともに、脱柵を試みる動物の衝撃力緩和のための緩衝材として機能させるために介挿するものである。
【００１９】
なお、猿のようなよじ登ることが得意な動物を捕獲対象とする場合には、天井部の網の設置も考えなければならない。
【００２０】
図５は障害物に沿って移動する動物の習性から既存柵７に捕獲檻を付加設置した場合の事例を示すものである。
（ａ）は連続する既存柵の一部に扉組み込みパネル４を付加設置したものである。
（ｂ）も同様であるが、付加設置した檻の全辺に扉組み込みパネル４を配したものである。
【００２１】
捕獲の適時監視は人為的に行う方法、赤外線カメラによる方法、感知センサーによる方法等がある。
動物の出没は、その種類や地域環境や季節等によって異なるが、その警戒心が薄れるのは夜間である。このため、人為による現場常駐監視は困難なことが多く監視装置１３による機器監視とすることが多い。
近年、ソレノイドアクチュエータやＷｉ-Ｆｉ等を利用した遠隔監視、遠隔操作の技術や感知センサーの出力に応じて自動的にスイッチの切換ができる技術等が著しく発達しており、害獣の出没状況や設置現場の状況等に応じて適宜監視方法を決定するものとする。なお、監視小屋を設け電気装置１０や監視装置１３等の各種機器を一箇所にまとめれば効率よく管理ができる。
【００２２】
本発明では、複数扉の設置、見通しの確保を主たる特徴とするものであるが、設置現場の状況によっては、多角形状を形成する柵体辺の一辺に複数の扉を形成し、形成された各扉のすべてが同時に閉塞可能とするものが望ましい場合も生ずる。
【産業上の利用可能性】
【００２３】
捕獲空間を大きくし、捕獲効率を高め複数捕獲も可能である本発明は、獣害対策業界においてその需要は大きい。また、金網パネルメーカーにおいても新商品（扉パネル）の創出となる。
【符号の説明】
【００２４】
１：支柱
２：標準パネル
３：補剛部
４：扉組み込みパネル
５：扉体
６：ラッチ  
７：既存柵
８：ステーワイヤー
９：スプリングテンショナー 
10：電気装置
11：電磁マグネット
12：ラッチ動作機
13：監視装置
【図１】
2014000035.tif 000003
【図２】
2014000035.tif 000004
【図３】
2014000035.tif 000005
【図４】
2014000035.tif 000006
【図５】
2014000035.tif 000007
【図６】
2014000035.tif 000008